(57)【要約】【課題】バルブスペーサによる電子銃の保持強度を高めた陰極線管を提供すること。【解決手段】フェース部１３およびネック部１４、ファンネル部１２を有する真空外囲器１１と、ファンネル部１３およびネック部１４に形成した導電膜２０と、ネック部１４内に配置した電子銃１６と、電子銃１６の電極に固定された固定領域２１ａおよび導電膜２０に圧接する圧接領域２１ｂ、固定領域２１ａと圧接領域２１ｂを連結する連結領域２１ｃを有するバルブスペーサ２１とを具備した陰極線管において、電子銃１６の電極の筒状側壁外面にその円周方向に５個のバルブスペーサ２１を等間隔に設けた。【選択図】図１
2006344501.tif 000002
【特許請求の範囲】
【請求項１】
蛍光体層が形成されたフェース部および管状ネック部、前記フェース部と前記ネック部との間に位置するファンネル部を有する真空外囲器と、前記ファンネル部および前記ネック部の内面に形成した導電膜と、複数の電極を有し前記ネック部内に配置した電子銃と、前記複数の電極のうちその１つの所定電極に固定された固定領域および前記導電膜に圧接する圧接領域、前記固定領域と前記圧接領域を連結する連結領域を有し、かつ前記固定領域に連結する前記連結領域および前記圧接領域が、前記ネック部の延長方向に対し直交する方向に延びているバルブスペーサとを具備した陰極線管において、前記所定電極の筒状側壁外面にその円周方向に５個のバルブスペーサを等間隔に設けたことを特徴とする陰極線管。
【発明の詳細な説明】
【技術分野】
【０００１】
本発明は、異なる色の単色画像を合成してカラー画像を生成するプロジェクションテレビ装置などに用いる陰極線管に関する。
【背景技術】
【０００２】
テレビジョンなどのカラー画像を再生する方法の１つにプロジェクションテレビ装置がある。プロジェクションテレビ装置は、たとえばＲ（赤）、Ｂ（青）、Ｇ（緑）など、互いに相違する色の単色画像を形成する３個の陰極線管を設け、各陰極線管が形成する単色画像を、たとえば共通のスクリーン上で合成する構成になっている。
【０００３】
プロジェクションテレビ装置などに使用する陰極線管は真空外囲器などから構成されている。真空外囲器は、たとえば外径が変化する漏斗状のファンネル部およびファンネル部の径の大きい側に位置するフェース部、ファンネル部の径の小さい側に位置する細い管状のネック部などから構成されている。フェース部の内面に蛍光体層が形成され、ファンネル部の一部に陽極端子が設けられている。陽極端子を設けた領域を含んで、ファンネル部の一部内面およびファンネル近傍のネック部の一部内面に、導電膜が連続して形成されている。また、ネック部内に電子銃が配置されている。
【０００４】
電子銃は、電子ビームを発生する陰極および陰極の前方に位置する複数のグリッド電極などから構成されている。グリッド電極は、陰極に近い側から順に、たとえば第１〜第５の５個のグリッド電極を有している。そして、複数のグリッド電極の１つ、たとえばフェース部に最も近い第５グリッド電極の筒状側壁の外面に、その筒状側壁が形成する円周方向に４個のバルブスペーサが等間隔に固定されている。
【０００５】
バルブスペーサは１つの方向に長い板状で、たとえば中央部分の固定領域が第５グリッド電極の側壁外面に固定され、その両端に位置する圧接領域がネック内面の導電膜に圧接し、電子銃の電子ビーム放出側端部をネック部分に保持している。バルブスペーサは、電子銃の前端部を保持するとともに、動作時、陽極端子に加えられる高電圧を導電膜を介して第５グリッド電極に供給する接続線路としても機能している。
【０００６】
ここで、電子銃を支持するバルブスペーサについて図４を参照して説明する。図４（ａ）は１つのバルブスペーサ部分を拡大して示した斜視図、図４（ｂ）は第５グリッド電極部分をネック部の延長方向から見た図、図４（ｃ）は第５グリッド電極部分をネック部の延長方向に対しその横方向から見た図である。
【０００７】
図４（ａ）に示すように、バルブスペーサ４１は、その中央部分に位置し第５グリッド電極Ｇ５に固定される固定領域４１ａおよび両端に位置する圧接領域４１ｂ、固定領域４１ａと圧接領域４１ｂを連結する連結領域４１ｃなどから構成されている。そして、図４（ｂ）に示すように、ネック部４２内に配置された第５グリッド電極Ｇ５の筒状側壁の外面に、４個のバルブスペーサ４１１〜４１４がその筒状側壁の円周方向に等間隔に固定されている。また、図４（ｃ）に示すように、各バルブスペーサ４１１〜４１４は、固定領域４１ａおよび連結領域４１ｃ、圧接領域４１ｂの各部分が、ネック部４２の延長方向に対し直交方向に延びる向きで固定されている。また、両端の圧接領域４１ｂは、外側に向かう連結領域４１ｃの弾力を利用して、ネック部４２内面の導電膜４３にある大きさの力で接触、いわゆる圧接している。
【発明の開示】
【発明が解決しようとする課題】
【０００８】
従来の陰極線管は、たとえば４個のバルブスペーサを用い、８個の圧接領域によって電子銃を保持している。４個のバルブスペーサを用いた場合、対向する２つのバルブスペーサ、たとえば図４（ｂ）の４１１と４１３、４１２と４１４は互いにほぼ平行に配置されている。このため、たとえばバルブスペーサ４１２、４１４を配置した向きに対しそれと平行する方向に振動が加わると、十分な保持力が得られない場合がある。
【０００９】
ここで、外部から振動が加わった場合のバルブスペーサの動作について図５を参照して説明する。図５は、図４に対応する部分に同じ符号を付し重複する説明を一部省略する。
【００１０】
矢印Ａで示したネック部４２の直径方向、たとえばバルブスペーサ４１１からこれと対向するバルブスペーサ４１３方向に振動が加わった場合を考える。このとき、バルブスペーサ４１２、４１４の各圧接領域は直径方向Ａとほぼ平行に位置している。そのため、バルブスペーサ４１ｂ、４１ｄは振動と同じ直径方向Ａ、つまり矢印Ｂ１、Ｂ２で示した方向に滑るような形でずれる。したがって、直径方向Ａに加わった振動は分散することなく、バルブスペーサ４１ｃへと伝わる。その結果、バルブスペーサ１１ｃに必要な保持力Ｃが大きくなり、電子銃を十分に保持できなくなると考えられる。
【００１１】
本発明は、上記した欠点を解決し、バルブスペーサによる電子銃の保持強度を高めた陰極線管を提供することを目的とする。
【課題を解決するための手段】
【００１２】
本発明は、蛍光体層が形成されたフェース部および管状ネック部、前記フェース部と前記ネック部との間に位置するファンネル部を有する真空外囲器と、前記ファンネル部および前記ネック部の内面に形成した導電膜と、複数の電極を有し前記ネック部内に配置した電子銃と、前記複数の電極のうちその１つの所定電極に固定された固定領域および前記導電膜に圧接する圧接領域、前記固定領域と前記圧接領域を連結する連結領域を有し、かつ前記固定領域に連結する前記連結領域および前記圧接領域が、前記ネック部の延長方向に対し直交する方向に延びているバルブスペーサとを具備した陰極線管において、前記所定電極の筒状側壁外面にその円周方向に５個のバルブスペーサを等間隔に設けたことを特徴とする。
【発明の効果】
【００１３】
本発明によれば、５個のバルブスペーサを等間隔に設けている。この場合、各バルブスペーサの固定領域どうしを結ぶ線がネック部の中心軸を通らない配置になる。したがって、たとえばバルブスペーサの外側から振動などの外力が加わっても、その外力が隣接するバルブスペーサで分散する。その結果、バルブスペーサに必要な保持力が小さくてすみ、バルブスペーサによる電子銃の保持強度を高めた陰極線管が実現する。
【発明を実施するための最良の形態】
【００１４】
本発明の実施形態について図１の概略の構造図を参照して説明する。
【００１５】
陰極線管１０は真空外囲器１１などから構成されている。真空外囲器１１は、外径の大きさが変化する漏斗状のファンネル部１２およびファンネル部１２の径の大きい側に位置するフェース部１３、ファンネル部１２の径の小さい側に位置するネック部１４などから構成されている。ファンネル部１２およびフェース部１３、ネック部１４はたとえば一体に形成されている。
【００１６】
フェース部１３の内面に蛍光体層１５が形成され、ネック部１４内に電子銃１６が配置されている。ネック部１４の端部に絶縁性のステムベース１７が設けられ、ステムベース１７部分に複数のピン１８が外部に突出している。ファンネル部１２を構成する壁部分には陽極端子１９が形成されている。また、陽極端子１９を形成した領域を含み、ファンネル部１２内面およびネック部１４内面のそれぞれ一部に導電膜２０が形成されている。
【００１７】
電子銃１６は電子ビームを発生する陰極Ｋなどから構成され、陰極Ｋの前方に複数のグリッド電極、たとえば陰極Ｋに近い側から順に第１〜第５の５個のグリッド電極Ｇ１〜Ｇ５が設けられている。また、複数のグリッド電極Ｇ１〜Ｇ５の１つ、たとえばフェース部１３に最も近い第５グリッド電極Ｄ５の筒状側壁の外面に、その筒状側壁が形成する円周方向に５個のバルブスペーサ２１が等間隔に溶接などで固定されている。
【００１８】
バルブスペーサ２１は従来技術の図４（ａ）で説明したと同じ形状で、たとえば中央に位置する固定領域２１ａおよび両端に位置する圧接領域２１ｂ、固定領域２１ａと圧接領域２１ｂの間に位置する連結領域２１ｃなどから構成されている。また、各バルブスペーサ２１は、図４で説明したと同様の配置、たとえば固定領域２１ａおよび連結領域２１ｃ、圧接領域２１ｂが、ネック部１４の延長方向に対しそれと直交する向きに延びる形で配置されている。そして、各バルブスペーサ２１は、連結領域２１ｃが有する弾力を利用して、それぞれの圧接領域２１ｂがネック部１４の内面に設けた導電膜１３に圧接し、電子銃の電子ビーム放出側の前端部をネック部分に保持し、また、第５グリッド電極Ｄ５と導電膜との間を電気的に接続している。
【００１９】
上記した実施形態は、５個のバルブスペーサを用いて、たとえば１０個の圧接領域１０によって電子銃を保持している。この構成によれば、電子銃の保持力はほぼ２４０ｇとなり、４個のバルブスペーサを用いた場合の保持力１７０ｇに比較すると、電子銃の保持力はほぼ３５％向上した。
【００２０】
ここで、図１の構成において、外部から振動が加わった場合のバルブスペーサの動作について図２を参照して説明する。図２は第５グリッド電極の部分をネック部の延長方向から見た図で、図１に対応する部分には同じ符号を付し重複する説明は一部省略する。
【００２１】
ネック部１４内に第５グリッド電極Ｄ５が位置し、第５グリッド電極Ｄ５の筒状側壁の外面に、その筒状側壁が形成する円周方向に５個のバルブスペーサ２１１〜２１５が等間隔に固定されている。そして、矢印Ａで示したネック部４２の直径方向、たとえばバルブスペーサ２１１の固定領域を通る直径方向に振動が加わった場合を考える。このとき、バルブスペーサ４１ａに隣接する２つのバルブスペーサ２１２、２１５の配置が直径方向Ａと平行でないため、２つのバルブスペーサ２１２、２１５によってその振動が符号Ｂ１、Ｂ２に示すように分散し、残りの２つのバルブスペーサ２１３、２１４に伝達する。この場合、２つのバルブスペーサ２１３、２１４は分散された後の振動を保持すればよく、バルブスペーサ２１３、２１４に必要な保持力Ｃ１、Ｃ２が小さくなる。このような理由から、バルブスペーサの保持力が向上すると考えられる。
【００２２】
また、上記した構成によれば、保持力の向上に伴い、導電膜の剥がれが減少することも確認された。その模様を図３で説明する。
【００２３】
図３はバルブスペーサの圧接領域が導電膜上にこすれた範囲を示し、横軸は、圧接領域がｘ方向においてこすれた範囲（平均値：μｍ）、縦軸はｙ方向においてこすれた範囲（平均値：μｍ）である。
【００２４】
点Ｐが本発明の５個のバルブスペーサを用いた場合を示し、点Ｑが従来の４個のバルブスペーサを用いた場合を示す。図に示すように、５個のバルブスペーサを用いた場合（Ｐ）は、剥がれが生じた面積（横軸ｘ×縦軸ｙ）は１つの圧接領域あたりで１／４に減少し、剥がれが生じた総面積は１／３に減少した。
【００２５】
上記したように、本発明は、５個のバルブスペーサで電子銃を保持し、各バルブスペーサの固定領域どうしを結ぶ線がネック部の中心軸を通らない配置になっている。このため、たとえば１つのバルブスペーサの外側からネック部の直径方向に振動などの外力が加わっても、隣接するバルブスペーサによってその外力が分散し、バルブスペーサによる保持力が向上する。
【００２６】
また、バルブスペーサの保持力の向上により、振動などが発生した場合の電子銃の揺れが抑制される。また、バルブスペーサと内部導電膜との摩擦で生じる内部導電膜の剥離が低減し、耐電圧品位が向上する。
【図面の簡単な説明】
【００２７】
【図１】本発明の実施形態を説明する概略構造図である。
【図２】本発明に係るバルブスペーサの動作を説明する概略構造図である。
【図３】本発明の特性を説明する特性図である。
【図４】従来例を説明する概略構造図である。
【図５】従来例に係るバルブスペーサの動作を説明する概略構造図である。
【符号の説明】
【００２８】
１０…陰極線管
１１…真空外囲器
１２…ファンネル部
１３…フェース部
１４…ネック部
１５…蛍光体層
１６…電子銃
１７…ステムベース
１８…ピン
１９…陽極端子
２０…導電膜
２１…バルブスペーサ
２１ａ…バルブスペーサの固定領域
２１ｂ…バルブスペーサの圧接領域
２１ｃ…バルブスペーサの連結領域
【図１】
2006344501.tif 000003
【図２】
2006344501.tif 000004
【図３】
2006344501.tif 000005
【図４】
2006344501.tif 000006
【図５】
2006344501.tif 000007